【手続補正書】
【提出日】平成26年6月17日(2014.6.17)
【手続補正１】
【補正対象書類名】特許請求の範囲
【補正対象項目名】全文
【補正方法】変更
【補正の内容】
【特許請求の範囲】
【請求項１】
複数の肯定応答（ＡＣＫ）または複数の否定応答（ＮＡＣＫ）をバンドルするための上位レイヤによってサポートされるバンドリングの構成を示すシグナリングを受信することと、
少なくとも１つのサブフレーム内で複数の符号語を受信することと、
前記複数の符号語を復号することと、
前記符号語の復号結果に基づいて各符号語のＡＣＫまたはＮＡＣＫを判定することと、
前記バンドリングの構成に従って、バンドルされたＡＣＫ情報を入手するために、前記複数の符号語の複数のＡＣＫおよびＮＡＣＫをバンドルすることと、各バンドルされたＡＣＫ／ＮＡＣＫは、複数の符号語の１つのセットのバンドルされたＡＣＫまたはバンドルされたＮＡＣＫを備える、
前記複数の符号語のフィードバックとして、前記バンドルされたＡＣＫ情報を送信することと
を備える、無線通信システムでデータを受信する方法。
【請求項２】
前記複数の符号語は、少なくとも１つのダウンリンクサブフレーム内で受信され、前記バンドルされたＡＣＫ情報は、アップリンクサブフレームより多数のダウンリンクサブフレームを有する非対称ダウンリンク−アップリンク構成を有する時分割複信（ＴＤＤ）システム内で、アップリンクサブフレーム内で送信される、請求項１に記載の方法。
【請求項３】
前記複数の符号語は、ＳＩＭＯ（ｓｉｎｇｌｅ−ｉｎｐｕｔ  ｍｕｌｔｉｐｌｅ−ｏｕｔｐｕｔ）伝送を介して複数のサブフレーム内で受信され、１つの符号語が各サブフレーム内で受信される、請求項１に記載の方法。
【請求項４】
複数の符号語の各セットは、１つのサブフレーム内で受信される前記複数の符号語のうちの１つまたは複数を含む、請求項３に記載の方法。
【請求項５】
前記複数の符号語は、ＭＩＭＯ（ｍｕｌｔｉｐｌｅ−ｉｎｐｕｔ  ｍｕｌｔｉｐｌｅ−ｏｕｔｐｕｔ）伝送を介して受信され、複数の符号語が各サブフレーム内で受信される、請求項１に記載の方法。
【請求項６】
複数の符号語の各セットは、１つまたは複数のサブフレーム内で受信される１つまたは複数の符号語を含む、請求項５に記載の方法。
【請求項７】
複数の符号語の各セットは、複数のサブフレーム内で受信されるＭＩＭＯ伝送の１レイヤ内で送信される複数の符号語を備える、請求項５に記載の方法。
【請求項８】
前記複数の符号語のうちの少なくとも１つは、ＳＩＭＯ（ｓｉｎｇｌｅ−ｉｎｐｕｔ  ｍｕｌｔｉｐｌｅ−ｏｕｔｐｕｔ）伝送を介して少なくとも第１のサブフレーム内で受信され、前記複数の符号語のうちの少なくとも２つは、ＭＩＭＯ（ｍｕｌｔｉｐｌｅ−ｉｎｐｕｔ  ｍｕｌｔｉｐｌｅ−ｏｕｔｐｕｔ）伝送を介して少なくとも第２のサブフレーム内で受信される、請求項１に記載の方法。
【請求項９】
複数の符号語の少なくとも１つのセットは、前記第１のサブフレーム内で受信される前記少なくとも１つの符号語と、前記第２のサブフレーム内で受信される前記複数の符号語のうちの１つまたは複数とを含む、請求項８に記載の方法。
【請求項１０】
前記複数の符号語の複数のＡＣＫおよびＮＡＣＫを前記バンドルすることは、
前記複数の符号語のすべてについてＡＣＫが入手される場合にバンドルされたＡＣＫを生成することと、
前記複数の符号語のいずれかについてＮＡＣＫが入手される場合にバンドルされたＮＡＣＫを生成することと
を備える、請求項１に記載の方法。
【請求項１１】
前記バンドルされたＡＣＫ情報は、前記複数の符号語の複数のバンドルされたＡＣＫ／ＮＡＣＫ、バンドルされたＡＣＫ、またはバンドルされたＮＡＣＫを備え、前記方法は、
前記複数の符号語についてバンドルされたＮＡＣＫまたは個々のＮＡＣＫが送信される場合に、前記複数の符号語の再送を受信することと、
前記複数の符号語についてバンドルされたＡＣＫまたは個々のＡＣＫが送信される場合に、新しい複数の符号語を受信することと
をさらに備える、請求項１に記載の方法。
【請求項１２】
前記複数の符号語の前記複数のＡＣＫおよびＮＡＣＫを前記バンドルすることは、複数の符号語の各セットの前記バンドルされたＡＣＫ／ＮＡＣＫを、複数の符号語の前記セット内の前記複数の符号語の複数のＡＣＫおよびＮＡＣＫに基づいて判定することを備える、請求項１に記載の方法。
【請求項１３】
バンドルされたＮＡＣＫが送信される複数の符号語の各セットの再送を受信することと、
バンドルされたＡＣＫが送信される複数の符号語の各セットの複数の符号語の新しいセットを受信することと
をさらに備える、請求項１に記載の方法。
【請求項１４】
前記複数の符号語の複数のＡＣＫおよびＮＡＣＫを前記バンドルすることは、
前記複数の符号語のそれぞれのＡＣＫ、ＮＡＣＫ、または不連続伝送（ＤＴＸ）を入手することと、
所定のマッピングに基づいて、前記複数の符号語の複数のＡＣＫ、ＮＡＣＫ、およびＤＴＸを前記バンドルされたＡＣＫ情報の複数のビットにマッピングすることと
を備える、請求項１に記載の方法。
【請求項１５】
前記バンドリングの構成は、静的構成または半静的構成のうちの少なくとも１つを備える、請求項１に記載の方法。
【請求項１６】
複数の肯定応答（ＡＣＫ）または複数の否定応答（ＮＡＣＫ）をバンドルするための上位レイヤによってサポートされるバンドリングの構成を示すシグナリングを送信することと、
少なくとも１つのサブフレーム内で複数の符号語を送信することと、
前記複数の符号語のフィードバックとして、バンドルされたＡＣＫ情報を受信することと、なお、前記バンドリングの構成に従って、バンドルされたＡＣＫ情報を入手するために、前記複数の符号語の前記複数のＡＣＫおよびＮＡＣＫはバンドルされ、各バンドルされたＡＣＫ／ＮＡＣＫは、複数の符号語の１つのセットのバンドルされたＡＣＫまたはバンドルされたＮＡＣＫを備える、
前記複数の符号語のフィードバックとして、前記バンドルされたＡＣＫ情報を送信することと
を備える、無線通信システムでデータを送信する方法。
【請求項１７】
複数の肯定応答（ＡＣＫ）または複数の否定応答（ＮＡＣＫ）をバンドルするための上位レイヤによってサポートされるバンドリングの構成を示すシグナリングを受信し、
少なくとも１つのサブフレーム内で複数の符号語を受信し、
前記複数の符号語を復号し、
前記符号語の復号結果に基づいて各符号語のＡＣＫまたはＮＡＣＫを判定し、
前記バンドリングの構成に従って、バンドルされたＡＣＫ情報を入手するために、前記複数の符号語の複数のＡＣＫおよびＮＡＣＫをバンドルし、各バンドルされたＡＣＫ／ＮＡＣＫは、複数の符号語の１つのセットのバンドルされたＡＣＫまたはバンドルされたＮＡＣＫを備える、
前記複数の符号語のフィードバックとして、前記バンドルされたＡＣＫ情報を送信する
ように構成された少なくとも１つのプロセッサ
を備える、無線通信システムでデータを受信するための装置。
【請求項１８】
前記複数の符号語は、少なくとも１つのダウンリンクサブフレーム内で受信され、前記バンドルされたＡＣＫ情報は、アップリンクサブフレームより多数のダウンリンクサブフレームを有する非対称ダウンリンク−アップリンク構成を有する時分割複信（ＴＤＤ）システム内で、アップリンクサブフレーム内で送信される、請求項１７に記載の装置。
【請求項１９】
前記複数の符号語は、ＳＩＭＯ（ｓｉｎｇｌｅ−ｉｎｐｕｔ  ｍｕｌｔｉｐｌｅ−ｏｕｔｐｕｔ）伝送を介して複数のサブフレーム内で受信され、１つの符号語が各サブフレーム内で受信される、請求項１７に記載の装置。
【請求項２０】
複数の符号語の各セットは、１つのサブフレーム内で受信される前記複数の符号語のうちの１つまたは複数を含む、請求項１９に記載の装置。
【請求項２１】
前記複数の符号語は、ＭＩＭＯ（ｍｕｌｔｉｐｌｅ−ｉｎｐｕｔ  ｍｕｌｔｉｐｌｅ−ｏｕｔｐｕｔ）伝送を介して受信され、複数の符号語が各サブフレーム内で受信される、請求項１７に記載の装置。
【請求項２２】
複数の符号語の各セットは、１つまたは複数のサブフレーム内で受信される１つまたは複数の符号語を含む、請求項２１に記載の装置。
【請求項２３】
複数の符号語の各セットは、複数のサブフレーム内で受信されるＭＩＭＯ伝送の１レイヤ内で送信される複数の符号語を備える、請求項２１に記載の装置。
【請求項２４】
前記複数の符号語のうちの少なくとも１つは、ＳＩＭＯ（ｓｉｎｇｌｅ−ｉｎｐｕｔ  ｍｕｌｔｉｐｌｅ−ｏｕｔｐｕｔ）伝送を介して少なくとも第１のサブフレーム内で受信され、前記複数の符号語のうちの少なくとも２つは、ＭＩＭＯ（ｍｕｌｔｉｐｌｅ−ｉｎｐｕｔ  ｍｕｌｔｉｐｌｅ−ｏｕｔｐｕｔ）伝送を介して少なくとも第２のサブフレーム内で受信される、請求項１７に記載の装置。
【請求項２５】
複数の符号語の少なくとも１つのセットは、前記第１のサブフレーム内で受信される前記少なくとも１つの符号語と、前記第２のサブフレーム内で受信される前記複数の符号語のうちの１つまたは複数とを含む、請求項２４に記載の装置。
【請求項２６】
前記複数の符号語の複数のＡＣＫおよびＮＡＣＫを前記バンドルすることは、
前記複数の符号語のすべてについてＡＣＫが入手される場合にバンドルされたＡＣＫを生成することと、
前記複数の符号語のいずれかについてＮＡＣＫが入手される場合にバンドルされたＮＡＣＫを生成することと
を備える、請求項１７に記載の装置。
【請求項２７】
前記バンドルされたＡＣＫ情報は、前記複数の符号語の複数のバンドルされたＡＣＫ／ＮＡＣＫ、バンドルされたＡＣＫ、またはバンドルされたＮＡＣＫを備え、
前記少なくとも１つのプロセッサはさらに、
前記複数の符号語についてバンドルされたＮＡＣＫまたは個々のＮＡＣＫが送信される場合に、前記複数の符号語の再送を受信し、
前記複数の符号語についてバンドルされたＡＣＫまたは個々のＡＣＫが送信される場合に、新しい複数の符号語を受信する
ように構成される、請求項１７に記載の装置。
【請求項２８】
前記複数の符号語の前記複数のＡＣＫおよびＮＡＣＫを前記バンドルすることは、複数の符号語の各セットの前記バンドルされたＡＣＫ／ＮＡＣＫを、複数の符号語の前記セット内の前記複数の符号語の複数のＡＣＫおよびＮＡＣＫに基づいて判定することを備える、請求項１７に記載の装置。
【請求項２９】
前記少なくとも１つのプロセッサはさらに、
バンドルされたＮＡＣＫが送信される複数の符号語の各セットの再送を受信し、
バンドルされたＡＣＫが送信される複数の符号語の各セットの複数の符号語の新しいセットを受信する
ように構成される、請求項１７に記載の装置。
【請求項３０】
前記複数の符号語の複数のＡＣＫおよびＮＡＣＫを前記バンドルすることは、
前記複数の符号語のそれぞれのＡＣＫ、ＮＡＣＫ、または不連続伝送（ＤＴＸ）を入手することと、
所定のマッピングに基づいて、前記複数の符号語の複数のＡＣＫ、ＮＡＣＫ、およびＤＴＸを前記バンドルされたＡＣＫ情報の複数のビットにマッピングすることと
を備える、請求項１７に記載の装置。
【請求項３１】
前記バンドリングの構成は、静的構成または半静的構成のうちの少なくとも１つを備える、請求項１７に記載の装置。
【請求項３２】
複数の肯定応答（ＡＣＫ）または複数の否定応答（ＮＡＣＫ）をバンドルするための上位レイヤによってサポートされるバンドリングの構成を示すシグナリングを送信し、
少なくとも１つのサブフレーム内で複数の符号語を送信し、
前記複数の符号語のフィードバックとして、バンドルされたＡＣＫ情報を受信し、なお、前記バンドリングの構成に従って、バンドルされたＡＣＫ情報を入手するために、前記複数の符号語の前記複数のＡＣＫおよびＮＡＣＫはバンドルされ、各バンドルされたＡＣＫ／ＮＡＣＫは、複数の符号語の１つのセットのバンドルされたＡＣＫまたはバンドルされたＮＡＣＫを備える、
前記複数の符号語のフィードバックとして、前記バンドルされたＡＣＫ情報を送信する
ように構成された少なくとも１つのプロセッサ
を備える、無線通信システムでデータを送信するための装置。
【請求項３３】
複数の肯定応答（ＡＣＫ）または複数の否定応答（ＮＡＣＫ）をバンドルするための上位レイヤによってサポートされるバンドリングの構成を示すシグナリングを受信するための手段と、
少なくとも１つのサブフレーム内で複数の符号語を受信するための手段と、
前記複数の符号語を復号するための手段と、
前記符号語の復号結果に基づいて各符号語のＡＣＫまたはＮＡＣＫを判定するための手段と、
前記バンドリングの構成に従って、バンドルされたＡＣＫ情報を入手するために、前記複数の符号語の複数のＡＣＫおよびＮＡＣＫをバンドルするための手段と、各バンドルされたＡＣＫ／ＮＡＣＫは、複数の符号語の１つのセットのバンドルされたＡＣＫまたはバンドルされたＮＡＣＫを備える、
前記複数の符号語のフィードバックとして、前記バンドルされたＡＣＫ情報を送信するための手段と
を備える、無線通信システムでデータを受信するための装置。
【請求項３４】
前記複数の符号語は、少なくとも１つのダウンリンクサブフレーム内で受信され、前記バンドルされたＡＣＫ情報は、アップリンクサブフレームより多数のダウンリンクサブフレームを有する非対称ダウンリンク−アップリンク構成を有する時分割複信（ＴＤＤ）システム内で、アップリンクサブフレーム内で送信される、請求項３３に記載の装置。
【請求項３５】
前記複数の符号語は、ＳＩＭＯ（ｓｉｎｇｌｅ−ｉｎｐｕｔ  ｍｕｌｔｉｐｌｅ−ｏｕｔｐｕｔ）伝送を介して複数のサブフレーム内で受信され、１つの符号語が各サブフレーム内で受信される、請求項３３に記載の装置。
【請求項３６】
複数の符号語の各セットは、１つのサブフレーム内で受信される前記複数の符号語のうちの１つまたは複数を含む、請求項３５に記載の装置。
【請求項３７】
前記複数の符号語は、ＭＩＭＯ（ｍｕｌｔｉｐｌｅ−ｉｎｐｕｔ  ｍｕｌｔｉｐｌｅ−ｏｕｔｐｕｔ）伝送を介して受信され、複数の符号語が各サブフレーム内で受信される、請求項３３に記載の装置。
【請求項３８】
複数の符号語の各セットは、１つまたは複数のサブフレーム内で受信される１つまたは複数の符号語を含む、請求項３７に記載の装置。
【請求項３９】
複数の符号語の各セットは、複数のサブフレーム内で受信されるＭＩＭＯ伝送の１レイヤ内で送信される複数の符号語を備える、請求項３７に記載の装置。
【請求項４０】
前記複数の符号語のうちの少なくとも１つは、ＳＩＭＯ（ｓｉｎｇｌｅ−ｉｎｐｕｔ  ｍｕｌｔｉｐｌｅ−ｏｕｔｐｕｔ）伝送を介して少なくとも第１のサブフレーム内で受信され、前記複数の符号語のうちの少なくとも２つは、ＭＩＭＯ（ｍｕｌｔｉｐｌｅ−ｉｎｐｕｔ  ｍｕｌｔｉｐｌｅ−ｏｕｔｐｕｔ）伝送を介して少なくとも第２のサブフレーム内で受信される、請求項３３に記載の装置。
【請求項４１】
複数の符号語の少なくとも１つのセットは、前記第１のサブフレーム内で受信される前記少なくとも１つの符号語と、前記第２のサブフレーム内で受信される前記複数の符号語のうちの１つまたは複数とを含む、請求項４０に記載の装置。
【請求項４２】
前記複数の符号語の複数のＡＣＫおよびＮＡＣＫを前記バンドルするための手段は、
前記複数の符号語のすべてについてＡＣＫが入手される場合にバンドルされたＡＣＫを生成するための手段と、
前記複数の符号語のいずれかについてＮＡＣＫが入手される場合にバンドルされたＮＡＣＫを生成するための手段と
を備える、請求項３３に記載の装置。
【請求項４３】
前記バンドルされたＡＣＫ情報は、前記複数の符号語の複数のバンドルされたＡＣＫ／ＮＡＣＫ、バンドルされたＡＣＫ、またはバンドルされたＮＡＣＫを備え、前記装置は、
前記複数の符号語についてバンドルされたＮＡＣＫまたは個々のＮＡＣＫが送信される場合に、前記複数の符号語の再送を受信するための手段と、
前記複数の符号語についてバンドルされたＡＣＫまたは個々のＡＣＫが送信される場合に、新しい複数の符号語を受信するための手段と
をさらに備える、請求項３３に記載の装置。
【請求項４４】
前記複数の符号語の前記複数のＡＣＫおよびＮＡＣＫを前記バンドルするための手段は、複数の符号語の各セットの前記バンドルされたＡＣＫ／ＮＡＣＫを、複数の符号語の前記セット内の前記複数の符号語の複数のＡＣＫおよびＮＡＣＫに基づいて判定するための手段を備える、請求項３３に記載の装置。
【請求項４５】
バンドルされたＮＡＣＫが送信される複数の符号語の各セットの再送を受信するための手段と、
バンドルされたＡＣＫが送信される複数の符号語の各セットの複数の符号語の新しいセットを受信するための手段と
をさらに備える、請求項３３に記載の装置。
【請求項４６】
前記複数の符号語の複数のＡＣＫおよびＮＡＣＫを前記バンドルするための手段は、
前記複数の符号語のそれぞれのＡＣＫ、ＮＡＣＫ、または不連続伝送（ＤＴＸ）を入手するための手段と、
所定のマッピングに基づいて、前記複数の符号語の複数のＡＣＫ、ＮＡＣＫ、およびＤＴＸを前記バンドルされたＡＣＫ情報の複数のビットにマッピングするための手段と
を備える、請求項３３に記載の装置。
【請求項４７】
前記バンドリングの構成は、静的構成または半静的構成のうちの少なくとも１つを備える、請求項３３に記載の装置。
【請求項４８】
複数の肯定応答（ＡＣＫ）または複数の否定応答（ＮＡＣＫ）をバンドルするための上位レイヤによってサポートされるバンドリングの構成を示すシグナリングを送信するための手段と、
少なくとも１つのサブフレーム内で複数の符号語を送信するための手段と、
前記複数の符号語のフィードバックとして、バンドルされたＡＣＫ情報を受信するための手段と、なお、前記バンドリングの構成に従って、バンドルされたＡＣＫ情報を入手するために、前記複数の符号語の前記複数のＡＣＫおよびＮＡＣＫはバンドルされ、各バンドルされたＡＣＫ／ＮＡＣＫは、複数の符号語の１つのセットのバンドルされたＡＣＫまたはバンドルされたＮＡＣＫを備える、
前記複数の符号語のフィードバックとして、前記バンドルされたＡＣＫ情報を送信するための手段と
を備える、無線通信システムでデータを送信するための装置。
【請求項４９】
複数の肯定応答（ＡＣＫ）または複数の否定応答（ＮＡＣＫ）をバンドルするための上位レイヤによってサポートされるバンドリングの構成を示すシグナリングを受信するためのコードと、
少なくとも１つのサブフレーム内で複数の符号語を受信するためのコードと、
前記複数の符号語を復号するためのコードと、
前記符号語の復号結果に基づいて各符号語のＡＣＫまたはＮＡＣＫを判定するためのコードと、
前記バンドリングの構成に従って、バンドルされたＡＣＫ情報を入手するために、前記複数の符号語の複数のＡＣＫおよびＮＡＣＫをバンドルするためのコードと、各バンドルされたＡＣＫ／ＮＡＣＫは、複数の符号語の１つのセットのバンドルされたＡＣＫまたはバンドルされたＮＡＣＫを備える、
前記複数の符号語のフィードバックとして、前記バンドルされたＡＣＫ情報を送信するためのコードと
を備える、無線通信システムでデータを受信するためのコンピュータ可読記憶媒体。
【請求項５０】
前記複数の符号語は、少なくとも１つのダウンリンクサブフレーム内で受信され、前記バンドルされたＡＣＫ情報は、アップリンクサブフレームより多数のダウンリンクサブフレームを有する非対称ダウンリンク−アップリンク構成を有する時分割複信（ＴＤＤ）システム内で、アップリンクサブフレーム内で送信される、請求項４９に記載のコンピュータ可読記憶媒体。
【請求項５１】
前記複数の符号語は、ＳＩＭＯ（ｓｉｎｇｌｅ−ｉｎｐｕｔ  ｍｕｌｔｉｐｌｅ−ｏｕｔｐｕｔ）伝送を介して複数のサブフレーム内で受信され、１つの符号語が各サブフレーム内で受信される、請求項４９に記載のコンピュータ可読記憶媒体。
【請求項５２】
複数の符号語の各セットは、１つのサブフレーム内で受信される前記複数の符号語のうちの１つまたは複数を含む、請求項５１に記載のコンピュータ可読記憶媒体。
【請求項５３】
前記複数の符号語は、ＭＩＭＯ（ｍｕｌｔｉｐｌｅ−ｉｎｐｕｔ  ｍｕｌｔｉｐｌｅ−ｏｕｔｐｕｔ）伝送を介して受信され、複数の符号語が各サブフレーム内で受信される、請求項４９に記載のコンピュータ可読記憶媒体。
【請求項５４】
複数の符号語の各セットは、１つまたは複数のサブフレーム内で受信される１つまたは複数の符号語を含む、請求項５３に記載のコンピュータ可読記憶媒体。
【請求項５５】
複数の符号語の各セットは、複数のサブフレーム内で受信されるＭＩＭＯ伝送の１レイヤ内で送信される複数の符号語を備える、請求項５３に記載のコンピュータ可読記憶媒体。
【請求項５６】
前記複数の符号語のうちの少なくとも１つは、ＳＩＭＯ（ｓｉｎｇｌｅ−ｉｎｐｕｔ  ｍｕｌｔｉｐｌｅ−ｏｕｔｐｕｔ）伝送を介して少なくとも第１のサブフレーム内で受信され、前記複数の符号語のうちの少なくとも２つは、ＭＩＭＯ（ｍｕｌｔｉｐｌｅ−ｉｎｐｕｔ  ｍｕｌｔｉｐｌｅ−ｏｕｔｐｕｔ）伝送を介して少なくとも第２のサブフレーム内で受信される、請求項４９に記載のコンピュータ可読記憶媒体。
【請求項５７】
複数の符号語の少なくとも１つのセットは、前記第１のサブフレーム内で受信される前記少なくとも１つの符号語と、前記第２のサブフレーム内で受信される前記複数の符号語のうちの１つまたは複数とを含む、請求項５６に記載のコンピュータ可読記憶媒体。
【請求項５８】
前記複数の符号語の複数のＡＣＫおよびＮＡＣＫを前記バンドルするためのコードは、
前記複数の符号語のすべてについてＡＣＫが入手される場合にバンドルされたＡＣＫを生成するためのコードと、
前記複数の符号語のいずれかについてＮＡＣＫが入手される場合にバンドルされたＮＡＣＫを生成するためのコードと
を備える、請求項４９に記載のコンピュータ可読記憶媒体。
【請求項５９】
前記バンドルされたＡＣＫ情報は、前記複数の符号語の複数のバンドルされたＡＣＫ／ＮＡＣＫ、バンドルされたＡＣＫ、またはバンドルされたＮＡＣＫを備え、前記コンピュータ可読記憶媒体は、
前記複数の符号語についてバンドルされたＮＡＣＫまたは個々のＮＡＣＫが送信される場合に、前記複数の符号語の再送を受信するためのコードと、
前記複数の符号語についてバンドルされたＡＣＫまたは個々のＡＣＫが送信される場合に、新しい複数の符号語を受信するためのコードと
をさらに備える、請求項４９に記載のコンピュータ可読記憶媒体。
【請求項６０】
前記複数の符号語の前記複数のＡＣＫおよびＮＡＣＫを前記バンドルするためのコードは、複数の符号語の各セットの前記バンドルされたＡＣＫ／ＮＡＣＫを、複数の符号語の前記セット内の前記複数の符号語の複数のＡＣＫおよびＮＡＣＫに基づいて判定するためのコードを備える、請求項４９に記載のコンピュータ可読記憶媒体。
【請求項６１】
バンドルされたＮＡＣＫが送信される複数の符号語の各セットの再送を受信するためのコードと、
バンドルされたＡＣＫが送信される複数の符号語の各セットの複数の符号語の新しいセットを受信するためのコードと
をさらに備える、請求項４９に記載のコンピュータ可読記憶媒体。
【請求項６２】
前記複数の符号語の複数のＡＣＫおよびＮＡＣＫを前記バンドルするためのコードは、
前記複数の符号語のそれぞれのＡＣＫ、ＮＡＣＫ、または不連続伝送（ＤＴＸ）を入手するためのコードと、
所定のマッピングに基づいて、前記複数の符号語の複数のＡＣＫ、ＮＡＣＫ、およびＤＴＸを前記バンドルされたＡＣＫ情報の複数のビットにマッピングするためのコードと
を備える、請求項４９に記載のコンピュータ可読記憶媒体。
【請求項６３】
前記バンドリングの構成は、静的構成または半静的構成のうちの少なくとも１つを備える、請求項４９に記載のコンピュータ可読記憶媒体。
【請求項６４】
複数の肯定応答（ＡＣＫ）または複数の否定応答（ＮＡＣＫ）をバンドルするための上位レイヤによってサポートされるバンドリングの構成を示すシグナリングを送信するためのコードと、
少なくとも１つのサブフレーム内で複数の符号語を送信するためのコードと、
前記複数の符号語のフィードバックとして、バンドルされたＡＣＫ情報を受信するためのコードと、なお、前記バンドリングの構成に従って、バンドルされたＡＣＫ情報を入手するために、前記複数の符号語の前記複数のＡＣＫおよびＮＡＣＫはバンドルされ、各バンドルされたＡＣＫ／ＮＡＣＫは、複数の符号語の１つのセットのバンドルされたＡＣＫまたはバンドルされたＮＡＣＫを備える、
前記複数の符号語のフィードバックとして、前記バンドルされたＡＣＫ情報を送信するためのコードと
を備える、無線通信システムでデータを送信するためのコンピュータ可読記憶媒体。